(57)【要約】【課題】セレモニーで使われるテープのような対象物への造花の取り付けが容易であり、また取り付けのための紐を別個に準備する必要のない造花を形成するためのリボンを提供すること。【解決手段】造花形成用リボン（１０）は、一対のストリップ（１２）と、両ストリップ間にある複数の紐（１４）とを備える。両ストリップはこれらの長手方向に関して互いに間隔をおかれた複数の線（ｌ）の各線上の少なくとも二箇所（１６）で互いに結合されている。紐（１４）は両ストリップの端部から突出する一部（１４ａ）を有し、また両ストリップにこれらの端部（１８）で結合されている。【選択図】  図１
2004176224.tif 000002
【特許請求の範囲】
【請求項１】
互いに重ね合わされた一対のストリップと、両ストリップ間をこれらの長手方向へ伸びる複数の紐とを含み、両ストリップは前記紐に対して該紐の長手方向へ相対移動が可能であるように両ストリップの長手方向に関して互いに間隔をおかれた複数の線の各線上の少なくとも二箇所で互いに結合され、前記紐は両ストリップの端部から突出する一部を有し、また前記紐は両ストリップの端部で該ストリップに結合されている、造花形成用リボン。
【請求項２】
互いに重ね合わされた一対のストリップと、両ストリップ間をこれらの長手方向へ伸びる複数の紐とを含み、両ストリップは、前記紐に対して該紐の長手方向へ相対移動が可能であるように、両ストリップの長手方向に関して互いに間隔をおかれた複数の線の各線上の少なくとも二箇所で互いに結合され、前記紐は、両ストリップの一端部からその他端部に向けて間隔をおいた箇所で両ストリップに結合されている、造花形成用リボン。
【請求項３】
前記紐はこれらの端部において両ストリップに結合されている、請求項２に記載の造花形成用リボン。
【請求項４】
前記紐の両ストリップに対する結合箇所は、前記線のうち両ストリップの一端部に最も近い線の近傍にある、請求項２または３に記載の造花形成用リボン。
【請求項５】
さらに、両ストリップはこれらの一端部で互いに結合されている、請求項２〜４にいずれか１項に記載の造花形成用リボン。
【発明の詳細な説明】
【０００１】
【発明の属する技術分野】
本発明は、造花形成用リボン、特にテープカットのようなセレモニーで用いられる造花を形成するためのリボンに関する。
【０００２】
【従来の技術】
水平に張られたテープに鋏を入れるテープカットにおいては、前記テープに１又は複数の造花が吊り下げられる。
【０００３】
従来、このような用途に供される造花を形成するための造花形成用リボンとして、互いに重ね合わされた一対のストリップと、両ストリップの間に配置され該ストリップの長手方向へ伸びる複数の紐とを備え、前記両ストリップと前記複数の紐とがこれらの端部で互いに結合され、また両ストリップが前記紐に対する長手方向への相対移動が可能であるように両ストリップの長手方向に関して間隔をおかれた複数の線の各線上の二箇所において互いに結合されているものがある（例えば、特許文献１参照）。
【０００４】
【特許文献１】
特許第２８８８８９３号明細書（段落００１８〜００２４）
【０００５】
【発明が解決しようとする課題】
この造花形成用リボンによれば、複数の紐に対して両ストリップをこれらの他端部がこれらの一端部に近づくように相対移動させると、両ストリップはこれらの結合箇所間でそれぞれ湾曲してループ状に変形する。その結果、これらのループに変形した部分を花弁とする造花が形成される。
【０００６】
この造花は、これに適当な他の紐を取り付け、該紐を前記テープに結び付けることにより吊り下げられる。しかし、これには、前記造花とは別個に紐を準備する必要があり、また造花に対する紐の取り付け作業が比較的面倒であること等の難点がある。
【０００７】
本発明の目的は、セレモニーで使われるテープのような対象物への造花の取り付けが容易であり、また取り付けのための紐を別個に準備する必要のない造花を形成するためのリボンを提供することにある。
【０００８】
【課題を解決するための手段】
本発明に係る造花形成用リボンは、互いに重ね合わされた一対のストリップと、両ストリップ間をこれらの長手方向へ伸びる複数の紐とを含み、両ストリップは前記紐に対して該紐の長手方向へ相対移動が可能であるように両ストリップの長手方向に関して互いに間隔をおかれた複数の線の各線上の少なくとも二箇所で互いに結合されている。
【０００９】
本発明の一態様においては、前記紐が両ストリップの端部から突出する一部を有し、前記紐は両ストリップにこれらの端部で結合されている。
【００１０】
また、他の態様においては、前記紐が、両ストリップの一端部からその他端部に向けて間隔をおいた箇所で両ストリップに結合されている。前記紐はこれらの端部において両ストリップに結合されたものとすることができる。また、両ストリップに対する前記紐の結合箇所が、前記線のうち両ストリップの一端部に最も近い線の近傍とし、また、両ストリップはこれらの一端部で互いに結合されたものとすることができる。
【００１１】
【発明の作用および効果】
本発明によれば、前記紐に対して両ストリップをこれらの他端部がこれらの一端部に近接するように長手方向へ相対移動させるとき、両ストリップがこれらの結合箇所間でそれぞれ湾曲してループ状に変形し、これらのループに変形した部分を花弁とする造花が形成される。造花の形成に伴って両ストリップの他端部から伸び出た前記紐は、これらを互いに結び合わせることにより、前記ループが解けないように維持することができ、結び合わせ後の前記紐の余分な部分は切り取ることができる。
【００１２】
本発明に係る造花形成用リボンあっては、前記紐が両ストリップの端部（一端部）から突出する一部を有することから、前記紐の一部を用いて、前記造花を、例えばテープカット用のテープに結わえ付け、該テープに吊り下げることができる。
【００１３】
あるいは、両ストリップと前記紐との結合箇所から両ストリップの一端部までの両ストリップの一部又はこれらの一部と前記紐の一部とを用いて、前記造花を前記テープに結わえ付け、前記テープに吊り下げることができる。両ストリップがこれらの一端部で互いに結合されているものとするときは、両ストリップの一端部と両ストリップ及び前記紐相互の結合箇所との間に前記テープを通すことにより、前記造花を前記テープに吊り下げることができる。
【００１４】
いずれにあっても、前記テープへの造花の取り付けについて、格別に紐や他の取付手段を準備する必要がなく、また、簡単な作業で足りる。
【００１５】
【発明の実施の形態】
図１を参照すると、本発明に係る造花形成用リボン（以下、単に「リボン」という。）が全体に符号１０で示されている。
【００１６】
リボン１０は、互いに重ね合わされた一対のストリップ１２と、両ストリップ１２間をこれらの長手方向へ伸びる一対の紐１４とを備える。
【００１７】
両ストリップ１２は、紐１４に対するこれらの長手方向への両ストリップ１２の相対移動が可能であるように、両ストリップ１２の長手方向に互いに間隔をおかれた複数の線（仮想線）ｌの各線上の少なくとも二箇所１６において、互いに結合されている。
【００１８】
複数の線ｌはそれぞれ両ストリップ１２を斜めに横切り、その傾斜方向が交互に変化している。各線ｌが両ストリップ１２を横切る角度（図示の例では４５度及び１３５度）は任意に定めることができる。
【００１９】
両ストリップ１２を横断する線ｌの角度の大きさによって、リボン１０によって形成される後記造花の対をなす花弁相互の開き角度と、紐１４の周りの各対の花弁相互の相対位置とが異なる。また、線ｌの相互間隔は任意の長さに定めることができる。線ｌの相互間隔の大きさにより前記花弁の大きさが定まる。さらに、線ｌの数量も任意に定めることができ、前記線の数に応じて、前記花弁の数量が変わる。
【００２０】
紐１４は、両ストリップの一端部１２ａから突出する一部１４ａを有する。他端部１４ｂを含む紐１４の大部分は、両ストリップ１２間にある。紐１４は、両ストリップの一端部１２ａにおいて、両ストリップ１２に結合されている。この結合箇所を符号１８で示す。
【００２１】
両紐１４は、図示の例のように、互いに重ね合わされていることが望ましい。また、紐１４の数量はこれを２とする図示の例に代えて３以上とすることができる。
【００２２】
ストリップ１２および紐１４は、それぞれ、例えばナイロン繊維やポリエステル繊維のような合成繊維製の織布からなり、超音波接合、ヒートシール等によりこれらを互いに結合することができる。
【００２３】
ストリップ１２および紐１４は、それぞれ、前記合成繊維製の織布の他、合成繊維製の不織布、ポリプロピレンやビニルのような合成樹脂製のテープ、紙製のテープ、天然繊維製の織布、天然繊維製の不織布等からなるものとすることができる。両ストリップ１２及び紐１４における相互結合は、前記超音波溶接、ヒートシール等に代えて、例えば接着剤による接着、糸による縫い合わせ、鳩目、ホッチキスによる綴じ合わせ等により行なうことができる。
【００２４】
図２に示すように、両紐１４に対して両ストリップの他端部１２ｂをこれらの一端部１２ａに向けて相対移動をさせると、両端部１２ａ，１２ｂ間において、両ストリップ１２の互いに隣接する線ｌ間の各ストリップの一部と、両ストリップの一端部１２ａ及びこれに隣接する線ｌ間の各ストリップの一部とが、それぞれ、外方に膨らむ。前記相対移動を続けると、両ストリップ１２の長手方向に互いに隣接する両線ｌが接近し、また、結合箇所１８とこれに隣接する線ｌとが互いに接近し、外方に膨らんだ各ストリップ部分がループ状に変形する。
【００２５】
その結果、ループ状の各ストリップ部分を花弁とする造花２０（図３参照）が形成される。造花２０が形成されたとき、造花２０の下部すなわち両ストリップの他端部１２ｂ間から、紐の他端部１４ｂが伸び出る。伸び出た両紐１４を互いに結び合わせることにより、両紐１４に対する前記ストリップ部分（ループ状部分）の相対移動を阻止することができ、これにより、前記ストリップ部分のループ状の形態、したがって造花の花弁の形態を維持することができる。結び合わせた後の両紐１４の結び目以外の余分な部分は切除することができる。
【００２６】
一方、紐１４の一部１４ａは、形成された造花２０の上部から突出する。突出した紐の一部１４ａは、セレモニーにおいて用いられるテープカット用のテープ、提灯等への造花２０の取り付けに用いることができる。
【００２７】
例えば、セレモニーとしてのテープカットに用いられるテープに、ひもの一部１４ａで、造花２０を結わえ付けることができ、これにより前記テープに造花２０を吊り下げることができる。紐の一部１４ａを利用した前記結わえ付けは、誰にでも簡単に、また短時間で行うことができる。また、紐の一部１４ａはリボン１０の一部をなすものであることから、前記テープへの造花２０の取り付けのための他の紐の格別な準備を必要としない。
【００２８】
紐の一部１４ａの長さ寸法は、造花２０の取り付けが容易であるように、前記した例であれば、テープへの結わえ付けが行いやすいように、任意に定めることができる。
【００２９】
なお、図示の例のように、両ストリップ１２の両側部に、両ストリップ１２の幅方向に関して互いに相対しかつ両ストリップの両側縁にそれぞれ開放する複数対の切欠き２２を設けることができる。各切欠き２２は、両ストリップ１２の相互結合箇所１６に隣接して設けられている。前記切欠きの形状は任意に選択することができる。図示の例の切欠き２２は、両ストリップ１２の各側縁を底辺とする直角二等辺三角形からなる。
【００３０】
互いに相対する各対の切欠き２２を設けることにより、両ストリップ１２にくびれを形成することができる。これにより、造花２０を形成した後、前記くびれにおいて、前記造花の花弁を紐１４の周りに容易に捻ることができ、これにより、上下方向における花弁相互の重なり合いを調整し、造花の見映えをより一層よくすることができる。
【００３１】
次に、本発明に係る造花形成用リボンの他の例を示す図４を参照すると、このリボン３０は、次の点において、図１に示すリボン１０と異なる。
【００３２】
すなわち、紐１４はその全部が両ストリップ１２間に配置されており、また、紐１４は、両ストリップ１２の一端部１２ａからその他端部１２ｂに向けて間隔をおいた箇所３２において、両ストリップ１２に結合されている。
【００３３】
このリボン３０によれば、両紐１４に対して両ストリップ１２の他端部１２ｂをこれらの一端部１２ａに向けて相対移動をさせると、他端部１２ｂは結合箇所３２においてその移動を阻害される。このため、両ストリップの他端部１２ｂと結合箇所３２との間において、両ストリップ１２の結合箇所１６間における一部分が前記したと同様にループ状に変形し、造花の花弁となる。造花が形成されると、該造花の上部から、両ストリップの一端部１２ａを含むこれらの一部１２ｃと、これらの間の紐の一部１４ｃとが突出する。
【００３４】
これらのストリップの一部１２ｃ及び紐の一部１４ｃの少なくとも一方は、図１に示す紐の一部分１４ａと同様の機能を有し、これらの一部１２ｃ，１４ｃの少なくとも一方を利用して、セレモニーで用いられる前記テープカット用テープ、提灯等に、前記造花を、多大の時間を要することなく、また容易に、さらに格別な取付手段を準備することなしに取り付けることができる。
【００３５】
取り付けの用に供しないストリップの一部１２ｃ又は紐の一部１４ｃは、必要に応じて、そのままの状態としあるいは切除することができる。
【００３６】
結合箇所３２は、両ストリップ１２の長手方向に関し、結合箇所１６間に配置することも可能であるが、好ましくは、図示の例のように、両ストリップの一端部１２ａとこれに最も近い線ｌとの間の該線ｌの近傍の箇所に配置する。これにより、結合箇所１６相互間のストリップ部分の全てを前記ループ状に変形する部分とすることができる。
【００３７】
また、両ストリップの一端部１２ａと紐１４の一端部とを互いに結合することができる。これの結合箇所を符号３４で示す。結合箇所３４は、両ストリップ１２及び紐１４の最先端にあることが望ましい。これによれば、両ストリップの一部１２ｃと紐の一部１４ｃとが両結合箇所３２及び３４において閉じられる（結合される）ため、両結合箇所３２，３４間に前記テープカット用のテープを通し、該テープに前記造花を吊り下げることができる。
【図面の簡単な説明】
【図１】本発明に係る造花形成用リボンの平面図である。
【図２】造花の形成途上にある造花形成用リボンの斜視図である。
【図３】形成された造花の平面図である。
【図４】造花形成用リボンの他の例を示す平面図である。
【符号の説明】
１０，３０  造花形成用リボン
１２，１２ａ，１２ｂ，１２ｃ  ストリップ、その一端部、その他端部及びその一部
１４，１４ａ，１４ｃ  紐及びその一部
１６  両ストリップの結合箇所
１８，３２  両ストリップへの紐の結合箇所
２０  造花
ｌ  線
【図１】
2004176224.tif 000003
【図２】
2004176224.tif 000004
【図３】
2004176224.tif 000005
【図４】
2004176224.tif 000006